(57)【要約】【課題】軌道車両での旅行における快適性を向上し、利用者の満足度を高める。【解決手段】車両の後側壁ＷＬ４に固定された矩形の窓ガラスＷＧと、窓ガラスＷＧの車内側に窓ガラスＷＧの縁に沿って設けた窓枠１０と、窓枠１０の矩形開口に展張して用いるスクリーン３０と、窓枠１０の矩形開口に展張して用いる遮蔽幕２０（緞帳２１、スダレ２２、カーテン２３）と、を備えており、スクリーン３０の展張位置は、窓枠１０において、遮蔽幕２０の展張位置よりも前記窓ガラス寄りの位置としてある軌道車両１００。【選択図】図１１
2015199422.tif 000002
【特許請求の範囲】
【請求項１】
車両の側壁に設けた矩形の窓と、
前記窓の車内側に、前記窓の縁に沿って設けた窓枠と、
前記窓枠の矩形開口に展張して用いる投影幕と、
前記窓枠の矩形開口に展張して用いる遮蔽幕と、
を備え、
前記投影幕の展張位置は、前記遮蔽幕の展張位置よりも前記窓よりの位置であることを特徴とする軌道車両。
【請求項２】
前記遮蔽幕は、
前記窓枠の上枠部から引き出して用いる緞帳と、
前記窓枠の上枠部から引き出して用いるスダレと、
前記窓枠の上枠部に設けたカーテンレールに張設して用いるカーテンと、
により構成され、
各前記遮蔽幕の展張位置は、前記窓側から、前記緞帳、前記スダレ、前記カーテンの順であることを特徴とする請求項１に記載の軌道車両。
【請求項３】
前記緞帳の引出口と前記スダレの引出口は、前記窓枠の上枠部において一体化されていることを特徴とする請求項２に記載の軌道車両。
【請求項４】
前記窓枠の上枠部の上方には、前記遮蔽幕や前記投影幕の巻取機構を収容する収容空間が設けてあり、
前記収容空間において、前記緞帳の巻取機構と前記スダレの巻取機構は、上下にオフセットした位置関係で配設されることを特徴とする請求項２又は請求項３に記載の軌道車両。
【請求項５】
前記収容空間において、前記窓枠の上枠部の前記カーテンレールが配設される部位の裏面は、支持部材により軌道車両の構造体と接続されていることを特徴とする請求項２〜請求項４の何れか１項に記載の軌道車両。
【請求項６】
前記窓枠は、前記窓を通して見える風景の周囲を囲繞する額縁状であることを特徴とする請求項１〜請求項５の何れか１項に記載の軌道車両。
【請求項７】
前記窓枠の矩形開口は、車内方向へ略垂直に延在する垂直部と、当該垂直部の車内側端部から略４５°の角度で拡径する拡径部と、を有することを特徴とする請求項１〜請求項６の何れか１項に記載の軌道車両。
【請求項８】
前記窓は、前記軌道車両の前後少なくとも一方の側壁と左右の側壁とで囲われた部屋に設けられており、
前記部屋において、前記窓は、前記前後少なくとも一方の側壁と左右の側壁とに少なくとも１つずつ設けてあることを特徴とする請求項１〜請求項７の何れか１項に記載の軌道車両。
【請求項９】
前記窓は、前記軌道車両の前後少なくとも一方の側壁に設けられており、ガラス面の途中を補強材で補強せずに、当該側壁の略全体にわたる広さの１枚の平板ガラスを当該側壁と略面一に配設して形成されていることを特徴とする請求項１〜請求項８の何れか１項に記載の軌道車両。
【請求項１０】
前記窓は、大人の膝下から頭頂に亘る高さサイズを有することを特徴とする請求項９に記載の軌道車両。
【請求項１１】
車両の側壁に設けた矩形の窓と、
前記窓の車内側に、前記窓の縁に沿って設けた窓枠と、
前記窓枠の矩形開口に展張して用いる投影幕と、
前記窓枠の矩形開口に展張して用いる遮蔽幕と、
を備え、
前記投影幕の展張位置は、前記遮蔽幕の展張位置よりも前記窓よりの位置であることを特徴とする軌道車両の窓枠構造。
【請求項１２】
軌道車両の前後少なくとも一方の側壁と左右の側壁とで囲われた部屋を有し、
前記部屋に設けられた窓は、窓ガラス面の途中を補強材で補強せずに、前後少なくとも一方の前記側壁の略全体にわたる広さの１枚の平板ガラスにより形成され、大人の膝下から頭頂に亘る高さサイズを有することを特徴とする軌道車両。
【発明の詳細な説明】
【技術分野】
【０００１】
本発明は、軌道車両及びその窓枠構造に関する。
【背景技術】
【０００２】
従来、特別仕様の観光列車として、特許文献１に記載のものが知られている。特許文献１に記載の観光列車は、車両内にカーペットを敷いたり、調度品や家具調の内装の仕様をホテルのような雰囲気に作ったりすることにより、高級感の醸成、快適な旅の演出に工夫を凝らしていた。
【先行技術文献】
【特許文献】
【０００３】
【特許文献１】実願平９−１８６６号公報
【発明の概要】
【発明が解決しようとする課題】
【０００４】
ところで、観光列車の旅では、車窓から見る外の風景が重要な楽しみの一つになる。しかしながら、観光列車で回る沿線の全てが観賞に値する風光明媚な土地とは限らないし、風景の好みは人それぞれであるため、旅程の全てを通して車窓から見る外の風景を楽しめるとは限らない。特に、夜間や悪天候下には風景観賞の楽しみが大きく削がれる。
【０００５】
更に言えば、車窓は、外の風景を観賞するために必要不可欠な構成要素ではあるが、その一方で、外部の騒音、光、熱等の侵入経路となったり、室内の水蒸気の結露箇所になったりする。そして、列車での観光旅行は、旅程が数百キロにわたる場合もあり、１つの旅程中で緯度、気候や気温、天候、高度が大きく変動することもある。従って、時々刻々変化する外部環境に応じて列車外部の騒音、光、熱等の遮蔽、結露の飛散防止を最適な方法で行えるようにしておくことは、列車での快適な観光旅行を実現する上で重要である。
【０００６】
このような実情を考慮して列車の窓周辺に十分な工夫を行った観光列車は、従来知られていなかった。
【０００７】
本発明は、前記課題に鑑みてなされたもので、観光列車などの軌道車両の窓周辺に様々な工夫を凝らすことにより、軌道車両での旅行における快適性を向上し、利用者の満足度を高めることを目的とする。
【課題を解決するための手段】
【０００８】
本発明の態様の１つは、車両の側壁に設けた矩形の窓と、前記窓の車内側に前記窓の縁に沿って設けた窓枠と、前記窓枠の矩形開口に展張して用いる投影幕と、前記窓枠の矩形開口に展張して用いる遮蔽幕と、を備え、前記投影幕の展張位置が前記遮蔽幕の展張位置よりも前記窓よりの位置であることを特徴とする軌道車両である。
【０００９】
このように構成された軌道車両は、窓枠に遮蔽幕と投影幕の双方を展張可能に設けてあるため、採光、遮光、外観、車内の雰囲気、断熱、保温、遮音等の各目的に合わせて、遮蔽幕と投影幕を適宜に選択して窓枠内に展張することができる。また、外部の景色を観賞しない時は、投影幕に映像を投影して楽しむことが可能であり、その際、投影幕と窓の間に遮蔽幕を展張することにより、投影幕に投影される映像品質を向上することができる。これにより、軌道車両での旅行における快適性が向上し、利用者の満足度を高めることができる。
【００１０】
また、本発明の選択的な態様の１つでは、前記遮蔽幕は、前記窓枠の上枠部から引き出して用いる緞帳と、前記窓枠の上枠部から引き出して用いるスダレと、前記窓枠の上枠部に設けたカーテンレールに張設して用いるカーテンと、により構成され、前記窓枠の上枠部には前記窓側から順に前記緞帳の引出口、前記スダレの引出口、前記カーテンのレールが配設されていることを特徴とする。
【００１１】
このように構成された軌道車両は、遮蔽効果が異なる複数の遮蔽幕及び投影幕を備えているため、採光、遮光、外観、車内の雰囲気、断熱、保温、遮音等の各目的に合わせて、最適な幕を選択して窓枠内に展張することができる。また、遮蔽効果が異なる複数の遮蔽幕を、その遮蔽効果に基づいた適切な順番で窓側から順に配設しているため、採光、遮光、外観、車内の雰囲気、断熱、保温、遮音の各効果はもちろん、窓の結露の飛散から車内を守る機能を効果的に実現できる。
【００１２】
また、本発明の選択的な態様の１つでは、前記緞帳の引出口と前記スダレの引出口が前記窓枠の上枠部において一体化されていることを特徴とする。
【００１３】
このように構成された軌道車両では、スダレ展張時の車内側の空間の広さを緞帳展張時と同程度に確保することが出来る。また、窓枠に形成する引出口の数が少なくなるため、窓枠の強度低下が抑制され、また施工工程や部品点数を減らしてコストの増加を抑制することができる。
【００１４】
また、本発明の選択的な態様の１つでは、前記窓枠の上枠部の上方には、前記遮蔽幕や前記投影幕の巻取機構を収容する収容空間が設けてあり、前記収容空間において、前記緞帳の巻取機構と前記スダレの巻取機構は上下にオフセットした位置関係で配設されることを特徴とする。
【００１５】
このように構成された軌道車両では、同じ引出口から展張する緞帳とスダレの巻取機構をコンパクトに収容することができる。
【００１６】
また、本発明の選択的な態様の１つでは、前記収容空間において、前記窓枠の上枠部の前記カーテンレールが配設される部位の裏面が支持部材により軌道車両の構造体と接続されていることを特徴とする。
【００１７】
このように構成された軌道車両では、カーテンの重みを支持部材が支持するため、窓枠の矩形開口の上側面の撓みが防止され、窓枠による窓の風景の装飾性を損なわずに済む。
【００１８】
また、本発明の選択的な態様の１つでは、前記窓枠は、窓を通して見える風景の周囲を囲繞する額縁状であることを特徴とする。また、本発明の選択的な態様の１つでは、前記窓枠は、前記矩形開口の縁部に沿って車内方向へ略垂直に延在する垂直部と、当該垂直部の車内型端部から略４５°の角度で拡径する拡径部と、を有することを特徴とする。
【００１９】
このように構成された軌道車両では、このような額縁状の窓枠の中央部に形成された開口を通して外の景色が見えることになるため、軌道車両の利用者は車内から窓を通して見る景色を一幅の絵画のような心持ちで観賞することができる。これにより軌道車両での旅行における快適性が更に向上し、利用者の満足度を更に高めることができる。
【００２０】
また、本発明の選択的な態様の１つでは、前記窓が前記軌道車両の前後少なくとも一方の側壁と左右の側壁とで囲われた部屋に設けられており、前記部屋において、前記窓が前記前後少なくとも一方の側壁と左右の側壁とに少なくとも１つずつ設けてあることを特徴とする。
【００２１】
このように構成された軌道車両では、軌道車両の利用者は、軌道車両の前又は後ろ方向の風景と、左側方の風景と、右側方の風景とを、それぞれの窓枠を通して観賞することができる。すなわち、これら窓が設けられた部屋は少なくとも３枚の絵画を飾ったような一種の画廊にも似た贅沢な空間となる。これにより軌道車両での旅行における快適性が更に向上し、利用者の満足度を更に高めることができる。
【００２２】
また、本発明の選択的な態様の１つでは、前記窓が前記軌道車両の前後少なくとも一方の側壁に設けられており、ガラス面の途中を補強材で補強せずに、当該側壁の略全体にわたる広さの１枚の平板ガラスを当該側壁と略面一に配設して形成されていることを特徴とする。
【００２３】
これにより、従来に無い絵画のようなパノラマビューを実現することが可能となる。なお、従来の観光列車では、例えば先頭車両や最後尾車両に線路が視界に含まれるようなパノラマビューを実現した窓を備えたものも有ったが、車両中央部と左右とで別体の窓ガラスを補強フレームを介して継ぎ合わせることでパノラマビューを実現していた。しかも、車両先頭や車両最後尾は、いわゆる電車の顔に相当するため、左右方向中央部が突出した湾曲形状になっており、運転席から見るかのようなパノラマビューは実現されていたものの、本願発明に係るような一幅の絵画のような車窓風景を実現したものは無かった。
【００２４】
また、本発明の選択的な態様の１つでは、前記窓が大人の膝下から頭頂に亘る高さサイズを有することを特徴とする。
【００２５】
これにより、従来に無い広い視界のパノラマビューを実現することができる。すなわち、従来の観光列車で実現されていたパノラマビューの窓は、左右方向には広いものの、その下端が大人の腰程度であり、下方向の視野が制限されていた。そのため、下方の視野を広げるには窓にかなり接近する必要があった。これに対し、本発明に係る軌道車両では、窓からある程度離れた位置で、しかも椅子等に座っても下方向の視界が従来よりも広く確保される。これにより、軌道車両の利用者は、快適な状態でパノラマビューを堪能できることとなり、利用者の満足度を更に高めることができる。
【００２６】
本発明の他の態様は、前後少なくとも一方の側壁と左右の側壁とで囲われた部屋に設けられた窓を備え、前記窓は、窓ガラス面の途中を補強材で補強せずに、前後少なくとも一方の前記側壁の略全体にわたる広さの１枚の平板ガラスにより形成され、大人の膝下から頭頂に亘る高さサイズを有することを特徴とする軌道車両である。
【００２７】
このように構成した軌道車両でも、上述した通り、軌道車両の利用者は、快適な状態でパノラマビューを堪能できることとなり、利用者の満足度を更に高めることができる。
【００２８】
なお、上述した軌道車両は、他の軌道車両や機関車両と連結される等、各種の態様で実施することができる。また、上述した窓枠構造は、軌道車両のみならず、他の種類の車両に組み込まれた状態で実施されたり、他の方法とともに実施されたりする等、各種の態様で実施することができる。
【発明の効果】
【００２９】
本発明によれば、観光列車などの軌道車両の窓周辺に様々な工夫を凝らすことにより、軌道車両での旅行における快適性を向上し、利用者の満足度を高めることが可能となる。
【図面の簡単な説明】
【００３０】
【図１】本実施形態に係る軌道車両の車両内の概略レイアウトを示す図である。
【図２】本実施形態に係る軌道車両の窓を説明する図である。
【図３】本実施形態に係る軌道車両の窓の使用態様の一例を示す図である。
【図４】本実施形態に係る軌道車両の窓の使用態様の一例を示す図である。
【図５】本実施形態に係る軌道車両の窓の使用態様の一例を示す図である。
【図６】本実施形態に係る軌道車両の窓の使用態様の一例を示す図である。
【図７】本実施形態に係る軌道車両の窓の使用態様の一例を示す図である。
【図８】本実施形態に係る軌道車両の窓の使用態様の一例を示す図である。
【図９】本実施形態に係る軌道車両の窓の使用態様の一例を示す図である。
【図１０】本実施形態に係る軌道車両の窓の使用態様の一例を示す図である。
【図１１】本実施形態に係る軌道車両の窓の構造を説明する図である。
【発明を実施するための形態】
【００３１】
以下、図面を参照しつつ本発明を説明する。
【００３２】
図１は、本実施形態に係る軌道車両１００の車両内の概略レイアウトを示す図であり、軌道車両１００を上下方向中程で水平方向に切断した状態を模式的に示してある。図２は、窓ＷＤ３を説明する図であり、窓ＷＤ３の面と略平行に軌道車両１００のリビングＲ４を切断した状態を模式的に示してある。
【００３３】
なお、以下では、車両進行方向を前方、その反対方向を後方、車両進行方向を向いて右手側を右方、左手側を左方として説明を行う。
【００３４】
［全体の概略］ 
軌道車両１００は、概略、前後に長い矩形箱体状であり、その底面には、軌道上を転動する車輪や当該車輪の駆動機構が配設されている。軌道車両１００の前後少なくとも一方には連結器を用いて他の軌道車両を連結することができる。なお、本実施形態では、軌道車両１００が複数の軌道車両を連結した列車の最後尾に連結されている場合を例に取り説明を行う。
【００３５】
軌道車両１００は、特定の個人利用者、又は、特定のグループ利用者（家族、友人、カップル等）のみで専用利用できる専用スペースＳを有している。
【００３６】
本実施形態では、軌道車両１００の前後方向途中位置に設けた区画壁ＷＬ１によって専用スペースＳを他のスペースから分離しており、区画壁ＷＬ１並びに軌道車両の左側壁ＷＬ３、右側壁ＷＬ２及び後側壁ＷＬ４で囲まれた、特定利用者がリラックスして過ごせる快適な居住空間を実現している。
【００３７】
区画壁ＷＬ１には、前方（先行車両等）へ続く扉Ｄ１が設けられ、右側壁ＷＬ２に沿って区画壁ＷＬ１から後方に向かって順に、洗面室Ｒ１、浴室Ｒ２、寝室Ｒ３が設けられている。これらの部屋は、壁や扉等の区画部材で区画されている。洗面室Ｒ１、浴室Ｒ２及び寝室Ｒ３と軌道車両１００の左側壁ＷＬ３との間には、当該左側壁ＷＬ３に沿って通路Ｐを設けてある。
【００３８】
［通路］ 
通路Ｐは、扉Ｄ１と後述するリビングＲ４との間を連通しており、通路Ｐの右側には洗面室Ｒ１や寝室Ｒ３への出入口が形成され、通路Ｐの左側（左側壁ＷＬ３）には複数の窓（図１では、窓ＷＤ１，ＷＤ２）が適宜の間隔で設けられている。なお、後述する窓枠１０に係る技術の一部又は全部は、これらの窓ＷＤ１，ＷＤ２に適用しても構わない。
【００３９】
［洗面室］ 
洗面室Ｒ１は、通路Ｐへの出入口Ｇを有する壁ＷＬ５によって通路Ｐと区画されており、扉Ｄ２を有する区画壁ＷＬ６によって浴室Ｒ２と区画されている。なお、出入口Ｇにも扉を設けても構わない。
【００４０】
［浴室］ 
浴室Ｒ２と通路Ｐは、出入口や扉の無い区画壁ＷＬ７によって区画され、浴室Ｒ２と寝室Ｒ３も扉や出入口の無い区画壁ＷＬ８によって区画されている。このため、通路Ｐから浴室Ｒ２への出入りは洗面室Ｒ１を経由して行うことになる。
【００４１】
［寝室］ 
寝室Ｒ３は、通路Ｐとの間を複数枚の障子戸等の引き戸ＳＤ１によって区画され、後述するリビングＲ４との間も複数枚の障子戸等の引き戸ＳＤ２によって区画されている。なお、これら引き戸ＳＤ１，ＳＤ２を引き戸を閉めた状態で採光可能な障子（例えば雪見障子等）にて構成すれば、寝室Ｒ３及びリビングＲ４の開放感を向上することができる。
【００４２】
すなわち、寝室Ｒ３と通路Ｐとの間の略全体を区画する複数枚の引き戸ＳＤ１を構成する各スライド体を重ねて端に寄せて配置したり、引き戸ＳＤ１を取り外したりすることで、寝室Ｒ３とリビングＲ４の間を開放することができる。
【００４３】
また、寝室Ｒ３とリビングＲ４との間の略全体を区画する複数枚の引き戸ＳＤ２を構成する各スライド体を重ねて端に寄せて配置したり、引き戸ＳＤ２を取り外したりすることで、寝室Ｒ３と通路Ｐの間を開放することができる。
【００４４】
［リビング］ 
寝室Ｒ３と軌道車両１００の後側壁ＷＬ４の間には、軌道車両１００の左右方向の全幅にわたる空間であるリビングＲ４が形成されている。リビングＲ４は、軌道車両１００の後部を広く占有する区画であり、軌道車両１００の３つの側壁（後側壁ＷＬ４、左側壁ＷＬ３、右側壁ＷＬ２）に囲まれている。
【００４５】
リビングＲ４の各側壁には、それぞれ窓（後側壁ＷＬ４の窓ＷＤ３、左側壁ＷＬ３の窓ＷＤ５、右側壁ＷＬ２の窓ＷＤ４）が設けられており、これにより、リビングＲ４に開放感溢れた造りを実現可能にしている。
【００４６】
［窓］ 
窓ＷＤ３は、軌道車両１００の他の窓に比べて大型であり、例えば、図２に示すようにリビングＲ４の後側壁ＷＬ４の略全体にわたって設ける。窓ＷＤ３は、ガラス面の途中を補強材で補強せずに、後側壁ＷＬ４の略全体にわたる広さの１枚の平板ガラスにより形成され、大人の膝下から頭頂に亘る高さサイズを有している。
【００４７】
すなわち、窓ＷＤ３は、軌道車両１００の構造力学や設計上可能な範囲で広く形成してあり、これにより、リビングＲ４の開放感が更に向上し、専用スペースＳの利用者は、リビングＲ４でくつろぎつつ外の風景を、図３に示すように、従来に無いパノラマビューで楽しむことができる。
【００４８】
［窓枠］ 
窓ＷＤ３の周囲には、窓ガラスを通して見える風景の周囲を囲繞する額縁状の窓枠１０が設けてある。この窓枠１０は、後側壁ＷＬ４に固設されている。窓枠１０は、矩形開口の縁部に沿って車内方向へ略垂直に延在する垂直部１１と、垂直部１１の車内型端部から略４５°の角度で拡径する拡径部１２と、を有しており、上下左右の各枠部の室内側端部が外方へ徐々に拡径している。
【００４９】
このため、リビングＲ４の居住スペース側からは、この窓枠１０の中央部に形成された矩形開口を通して外の景色が見えることになる。このような額縁状の窓枠１０を窓ＷＤ３の周囲に設けることにより、専用スペースＳの利用者は、リビングＲ４から窓ＷＤ３を通して見る景色を一幅の絵画のような心持ちで観賞することができる。
【００５０】
リビングＲ４には、窓ＷＤ３に面してテーブルＴや椅子Ｃ１，Ｃ２等の什器が配設されている。これらリビングＲ４の什器を、窓ＷＤ３の風景を楽しむのに最適なレイアウトに予め配設しておけば、専用スペースＳの利用者は、什器の移動等の無駄な手間を掛けることなく利用開始当初から車窓の風景をリラックスした状態で堪能することができる。
【００５１】
［幕構成］
窓枠１０には、後で図５〜図１１を参照して詳説する遮蔽幕２０や投影幕としてのスクリーン３０が設けてある。
【００５２】
遮蔽幕２０を窓枠１０の矩形開口内に展張すると、窓ＷＤ３と車内側のリビングＲ４との間が遮蔽される。また、スクリーン３０を窓枠１０の矩形開口内に展張すると、窓枠１０に囲まれた窓ＷＤ３の矩形領域を映像投影領域として使用することができる。遮蔽幕２０とスクリーン３０は、採光、遮光、外観、車内の雰囲気、断熱、保温、遮音等の各目的に合わせて適宜に選択して窓枠１０の中に展張する。
【００５３】
［遮蔽幕］
本実施形態に係る遮蔽幕２０は、緞帳２１、スダレ２２及びカーテン２３の３種類により構成され、これらを適宜に組み合わせて使用可能になっている。すなわち、本実施形態に係る窓ＷＤ３は、最大で、窓ＷＤ３の窓ガラスＷＧ、緞帳２１、スダレ２２、カーテン２３、スクリーン３０、の５層重複構造とすることができる。
【００５４】
本実施形態において、各幕の展張位置は、窓枠１０の矩形開口内（特に、垂直部１１に囲われる部分）において、窓ガラスＷＧに近い側から順に緞帳２１、スダレ２２、カーテン２３、スクリーン３０としてある。なお、各幕の展張状態を図４〜図１０に示してある。
【００５５】
遮蔽幕２０を構成する各幕の展張位置をこのような順番にすることで、窓ガラスＷＧの結露の飛散からリビングＲ４を守る機能を効果的に実現できる。すなわち、結露が発生しやすい低温時の使用頻度、結露飛散防止効果、汚れの目立ちにくさが高い遮蔽幕ほど、その展張位置を窓ガラスＷＧ寄りにしてある。
【００５６】
以下、各遮蔽幕の作用効果について順に説明していく。
【００５７】
［緞帳］
図５，図６は、緞帳２１の展張状態を示す図である。
【００５８】
緞帳２１は、他の遮蔽幕に比べて遮光性が高いため、窓ＷＤ３の緞帳２１が展張された範囲は、リビングＲ４から見ると、緞帳２１によって窓ＷＤ３がほぼ完全に遮蔽される。
【００５９】
従って、利用者は、緞帳２１で窓ＷＤ３の全域を覆って外の風景をほぼ完全に遮断し、同時に外部からリビングＲ４を完全に遮蔽することができる。また、利用者は、緞帳２１で窓ＷＤ３の一部を覆うことにより、外の風景の見える範囲を制限し、同時に外部からの視線を一部完全に遮蔽することができる。
【００６０】
また、緞帳２１の展張位置を最も窓ガラスＷＧ寄りとしてあるため、緞帳２１を展張した時のリビングＲ４の室内空間が広くなる。これにより、緞帳２１を展張したときのリビングＲ４の居住快適性や専用スペースＳの高級感を損ない難い。
【００６１】
また、窓枠１０の矩形開口の下側面は、緞帳２１よりもリビングＲ４側の部位が棚状に広く残るため、窓枠１０の矩形開口の下側面を、物置用の棚として使用することができる。
【００６２】
また、遮蔽幕２０の中で最も遮光性、断熱性、保温性、遮音性が高い緞帳２１を矩形開口内の最も窓ガラスＷＧ寄りに展張することにより、遮光性、断熱性、保温性、遮音性の効果を最大化することができる。
【００６３】
［スダレ］ 
図７は、スダレ２２の展張状態を示す図である。
【００６４】
スダレ２２は、緞帳２１に比べて遮光性が低いが、窓ＷＤ３のスダレ２２が展張された範囲は、リビングＲ４が外部よりも暗い場合、リビングＲ４から外を見ると窓ＷＤ３の側が透視可能な状態となり、その一方で、外部からリビングＲ４はほぼ透視不可能な状態となる。
【００６５】
従って、利用者は、スダレ２２で窓ＷＤ３の全域を覆って、窓ＷＤ３から見える外の風景の全域を透視し、同時に外部からリビングＲ４をほぼ完全に遮蔽することができる。また、利用者は、スダレ２２で窓ＷＤ３の一部を覆うことにより、外の風景の一部を透視可能な状態とし、同時に外部からの視線を一部ほぼ完全に遮蔽することができる。
【００６６】
また、スダレ２２は、その展張位置を緞帳の直ぐ内側としてあるため、スダレ２２を展張したときのリビングＲ４の室内空間が緞帳２１展張時とほぼ同じ程度の広さになる。むろん、室内空間は緞帳２１の展張時よりも幾分目減りするが、スダレ２２は緞帳に比べて透光性が高いため、緞帳２１に比べると開放感が高くその影響は低い。
【００６７】
スダレ２２を展張しつつ緞帳２１を展張しない場合、スダレ２２を通して車窓風景の移り変わりを楽しむことができる。このとき、昼間は、車外から見た専用スペースＳはスダレ２２の目隠し効果により視認性が低下するため、車内のプライバシーを保護しつつ、車内からは車窓風景を観賞できる。一方、夜間は、車内から窓ガラスＷＧへの写り込みを防止してリビングＲ４の居住性を改善することができる。
【００６８】
スダレ２２と緞帳２１の双方を窓枠１０の矩形開口内に展張した場合、窓ＷＤ３側から入射する光は遮光され、リビングＲ４側の光のみでスダレ２２が照明される。このため、矩形開口内にスダレ２２を飾って装飾したような雰囲気を醸し出すことができる。
【００６９】
［スクリーン］
図９，図１０は、スクリーン３０の展張状態を示す図である。
【００７０】
スクリーン３０は、そのリビングＲ４側の面（以下、表面とする）に映像を投影するものであり、表面側から投射されて反射する光の色再現性が良好である。ただし、表面に映像投影中、窓ＷＤ３の外から窓ＷＤ３側の面（以下、裏面とする）に光が入射したり、表面に入射した光が裏面に抜けて窓ＷＤ３で反射したりすると、表面の映像の色再現性が劣化する虞がある。また、表面に入射した光が裏面に抜けると、軌道車両１００外部に映像光が漏れる可能性もある。そこで、スクリーン３０と緞帳２１を併用すると、映像の色再現性が良好になり、外部への映像光漏れも防止できる。
【００７１】
また、スクリーン３０は、その展張位置を矩形開口内（特に、垂直部１１に囲われる部分）において、遮蔽幕２０の引出口よりもリビングＲ４寄りの位置に設けられている。特に、スクリーン３０は、窓枠１０の垂直部１１において、拡径部１２との境界付近に展張される。このため、スクリーン３０に投影される映像の視認性が向上する。
【００７２】
また、スクリーン３０までの奥行き（スクリーン３０のリビングＲ４の居住空間側に残存する垂直部１１の長さ）が短くなり、投影面のサイズと窓枠１０（垂直部１１と拡径部１２との角部）から投影面までの奥行きとの比率が、一般的なテレビ画面の比率と近くなり、利用者が違和感を感じにくい画面構成を実現できる。
【００７３】
また、スクリーン３０の展張位置を遮蔽幕２０よりもリビングＲ４側としているため、スクリーン３０へ投影する映像のコントラストや階調性等の色再現性や、映像と共に流れる音の臨場感を向上することができる。すなわち、スクリーン３０の裏に遮蔽幕２０の少なくとも１つを展張すると、スクリーン３０の裏面に窓ＷＤ３から入射する光や窓ＷＤ３を通して車内に伝わる音が低減され、スクリーン３０へ投影される映像の色再現性が損なわれにくく、映像と共に流れる音に雑音が重畳されにくくなる。
【００７４】
むろん、スクリーン３０は映像投影専用で使用する必要は無く、上述した遮蔽幕の一つとして用いてもよい。この場合、スクリーン３０の遮光性、断熱性、保温性、遮音性に応じて、適宜に選択して用いることになる。
【００７５】
［カーテン］ 
図８は、カーテン２３の展張状態を示す図である。
【００７６】
カーテン２３は、上端をカーテンレール１４（図１１参照）に沿ってスライド移動可能に吊り下げられている。カーテン２３は、使用しないときは、窓枠１０の左右側面に設けた収容凹み１８にそれぞれ収容され、使用するときは、カーテンレール１４に沿ってスライドさせて窓枠１０の矩形開口内に展張する。
【００７７】
図１１は、上述した窓ＷＤ３の窓枠１０を説明する図であり、後側壁ＷＬ４の略中央を垂直に切断した状態を模式的に示した図である。
【００７８】
窓枠１０の矩形開口の上側面には、窓ガラスＷＧの側から順に、緞帳２１とスダレ２２の引出口１３、カーテン２３のカーテンレール１４、スクリーン３０の引出口１５が設けてある。窓枠１０の矩形開口の左右側面（左側面については、図１１には不図示）には、窓ガラスＷＧの側から順に、緞帳２１を展張する際に緞帳２１の左右端部を案内する案内溝１６、スダレ２２を展張する際にスダレ２２の左右端部を案内する案内溝１７、カーテン２３の収容凹み１８、スクリーン３０を展張する際にスクリーン３０の左右端部を案内する案内溝１９が、設けてある。
【００７９】
窓枠１０の矩形開口の上側面の上方には、収容空間４０が設けてある。この収容空間４０には、緞帳２１の電動巻取装置４１、スダレ２２の電動巻取装置４２、スクリーン３０の電動巻取装置４３、が配設されている。なお、電動巻取装置４１〜４３は、リビングＲ４に設けたリモコン等の操作により、その回転方向や回転速度、回転量が制御される。
【００８０】
収容空間４０内には、図１１に示すように、当該空間内の所定位置に電動巻取装置４１〜４３を適切な位置関係で配設するための固定支持部材４５が設けてある。
【００８１】
固定支持部材４５は、軌道車両１００の後側面ＷＬ３に沿って上下方向に延在して後側面ＷＬ３に固定される第１上下配向板部４５ａと、当該第１上下配向板部４５ａの上端から前方に屈曲して前後方向に延在する第１前後配向板部４５ｂと、当該第１前後配向板部４５ｂの前端から下方に屈曲して上下方向に延在する第２上下配向板部４５ｃと、当該第２上下配向板部４５ｃの下端から前後方向に屈曲して延在する第２前後配向板部４５ｄと、を有する。なお、第２上下配向板部４５ｃは、第１上下配向板部４５ａより短く形成されている。
【００８２】
そして、第１上下配向板部４５ａの前面側に緞帳２１の電動巻取装置４１が取付固定され、第１前後配向板部４５ｂの下面にスダレ２２の電動巻取装置４２が取付固定され、第２前後配向板部４５ｄの下面にスクリーン３０の電動巻取装置４３が取付固定されている。このような位置関係で電動巻取装置４１〜４３を収容空間４０内に配設することにより、上述したように多数の幕を窓枠１０内に展張可能としつつ、狭い車内空間に確保した収容空間４０を最大限に有効活用したコンパクトな三次元配置で、複数の電動巻取装置４１〜４３の動作に支障を与えることなく収容することができる。
【００８３】
また、第２上下配向板部４５ｃと第２前後配向板部４５ｄとの間には、その屈曲角を維持補強するための三角部４５ｅが付設してある。これにより、片持ち支持構造で下面に電動巻取装置４３が取付固定される第２前後配向板部４５ｄがスクリーン３０や電動巻取装置４３の重量で下方に撓んでスクリーン３０の展張設計に悪影響を及ぼす虞を可及的に防止できる。なお、この撓み防止効果は、後述する補強材４４が、固定支持部材４５（第２上下配向板部４５ｃと第２前後配向板部４５ｄの角部）と窓枠１０の上側面との間隔変動を抑制する効果と相まって更に高まる。
【００８４】
緞帳２１の電動巻取装置４１とスダレ２２の電動巻取装置４２は、上下にオフセットした位置関係で収容空間４０内に収容されており、軌道車両１００の前後方向において、装置の位置の大部分を重複させつつ、装置の幕出入口４１ａ，４２ａの位置が他方の装置と重複しないように、軌道車両１００の前後方向に僅かにずらした位置関係としてある。
【００８５】
これにより、緞帳２１とスダレ２２の引出口１３を本実施形態のように共通化することができる。なお、緞帳２１とスダレ２２とで引出口１３を共通化してあるため、引出口１３は、スクリーン３０の引出口１５よりも幅広である。
【００８６】
スクリーン３０の電動巻取装置４３は、緞帳２１の電動巻取装置４１やスダレ２２の電動巻取装置４２よりも、軌道車両１００の前後方向において、前方側に配設されており、スクリーン３０の電動巻取装置４３と緞帳２１の電動巻取装置４１は略同じ高さに配設されている。スクリーン３０の引出口１５は、窓枠１０の非拡径部位（垂直部１１）の前方側角に寄せて形成されている。
【００８７】
カーテンレール１４は、引出口１３と引出口１５の略中間位置に配設されている。また、スダレ２２の案内溝１７とカーテンレール１４との間隔ｄ１、及び、カーテンレール１４とスクリーン３０の案内溝１９との間隔ｄ２は、緞帳２１の案内溝１６とスダレ２２の案内溝１７の間隔ｄ３に比べて幅広にしてある。むろん、スダレ２２の案内溝１７とスクリーン３０の案内溝１９との間隔ｄ４や緞帳２１の案内溝１６とスクリーン３０の案内溝１９との間隔ｄ５も間隔ｄ３に比べて幅広である。
【００８８】
これにより、カーテン２３の展張に必要な空間をスダレ２２とスクリーン３０の間に確保することが可能となる。また、カーテン２３が有する折りひだ構造や下端が揺れ動きやすい形状にとって必要な展張空間を確保している。また、スクリーン３０と緞帳２１との間に十分な空間を確保できるため、例えば緞帳２１をスクリーン３０と一緒に展張した場合に、緞帳２１の模様がスクリーン３０を通してリビングＲ４側から視認しにくくなり、スクリーン３０のスクリーン３０に投影される映像の視認性が向上する。
【００８９】
カーテンレール１４が配設される部位の収容空間４０側には、軌道車両１００の構造体とカーテンレール１４の裏面とを接続する補強材４４が配設されており、窓枠１０のカーテンレール１４部分の上下方向位置の変動を抑制するべく固定している。これにより、窓枠１０の矩形開口の上側面のカーテン２３の重みによる撓みを抑制し、窓枠１０の
矩形開口を通して見る窓ＷＤ３の風景の装飾性を損なわずに済む。
【００９０】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００９１】
１０…窓枠、１１…垂直部、１２…拡径部、１３…引出口、１４…カーテンレール、１５…引出口、１６…案内溝、１７…案内溝、１８…収容凹部、１９…案内溝、２０…遮蔽幕、２１…緞帳、２２…スダレ、２３…カーテン、３０…スクリーン、４１…電動巻取装置、４１ａ…幕出入口、４２…電動巻取装置、４２ａ…幕出入口、４３…電動巻取装置、４４…補強材、４５…固定支持部材、４５ａ…第１上下配向板部、４５ｂ…第１前後配向板部、４５ｃ…第２上下配向板部、４５ｄ…第２前後配向板部、４５ｅ…三角部、１００…軌道車両、Ｃ１…椅子、Ｃ２…椅子、Ｄ１…扉、Ｄ２…扉、Ｇ…出入口、Ｐ…通路、Ｒ１…洗面室、Ｒ２…浴室、Ｒ３…寝室、Ｒ４…リビング、Ｓ…専用スペース、ＳＤ１…引き戸、ＳＤ２…引き戸、Ｔ…テーブル、ＷＧ…窓ガラス、ＷＤ１…窓、ＷＤ２…窓、ＷＤ３…窓、ＷＤ４…窓、ＷＤ５…窓、ＷＬ１…区画壁、ＷＬ２…右側壁、ＷＬ３…左側壁、ＷＬ４…後側壁、ＷＬ５…壁、ＷＬ６…区画壁、ＷＬ７…区画壁、ＷＬ８…区画壁
【図１】
2015199422.tif 000003
【図２】
2015199422.tif 000004
【図３】
2015199422.tif 000005
【図４】
2015199422.tif 000006
【図５】
2015199422.tif 000007
【図６】
2015199422.tif 000008
【図７】
2015199422.tif 000009
【図８】
2015199422.tif 000010
【図９】
2015199422.tif 000011
【図１０】
2015199422.tif 000012
【図１１】
2015199422.tif 000013